(57)【要約】【課題】送付する冊子を包む外側用紙に販促情報を付加してアイキャッチ効果を高め、封入時における内部での冊子の移動を防ぐと共に、冊子に対する興味を向上させることが可能な冊子封入物を提供する。【解決手段】販促情報など様々な情報の印刷を施した外側用紙１０にあらかじめミシン目１１ａ〜１１ｃを加工した後、接着糊塗布部１５ａ〜１５ｃに接着糊を塗布すると共に、仮接着糊塗布部１６ａ、１６ｂに仮接着糊を塗布しておく。そして、複数のページからなる冊子２０の裏表紙２２を、外側用紙１０の裏側紙片１０ｂの内面に塗布された仮接着糊により貼り付ける。最後に、折り線１２により外側用紙１０を二つ折りして接着糊により表側紙片１０ａと裏側紙片１０ｂの端部を接着することにより冊子２０を封入した冊子封入物が得られる。【選択図】  図４
2004338792.tif 000002
【特許請求の範囲】
【請求項１】
複数のページからなる冊子を外側用紙に封入して形成される冊子封入物であって、
前記冊子の表紙もしくは裏表紙が外側用紙の内面に仮留めされてなり、
前記外側用紙は、二つ折りされて前記冊子を包むと共に、当該外側用紙の重なる三辺はその端部が接着されてなり、さらに、接着された端部より中央側にミシン目が設けられていることを特徴とする冊子封入物。
【請求項２】
前記外側用紙の内面又は外面の少なくとも一部に消費者への販促情報が印刷されていることを特徴とする請求項１に記載の冊子封入物。
【発明の詳細な説明】
【０００１】
【産業上の利用分野】
本発明は、冊子を封入した冊子封入物に関する。
【０００２】
【従来の技術】
従来より、カタログ、情報販促誌、広告媒体誌等の冊子を封筒に封入し、ＤＭ（ダイレクトメール）として送付することが行なわれている。
【０００３】
【発明が解決しようとする課題】
従来のＤＭ等においては、定型郵便サイズ封筒を用いるのが一般的で、十分なアイキャッチ効果が得られなかった。また、開封の手間を省き開封率を上げるために様々な工夫がなされている。一般的なのは、ミシン目により端部を切りとって、開封する手法である。この場合、封筒内部の冊子が固定されていないため、冊子がミシン目付近に移動してしまい、ミシン目による端部の切り取りが行ないづらいという問題がある。
【０００４】
一方、用紙を内部に封入した封書用フォーム等の技術もある（例えば、特許文献１参照）が、複数のページからなる冊子を封入することはできない。
【０００５】
【特許文献１】
実開昭６１−２０６４８４号公報
【０００６】
また、従来のＤＭでは、大きさの限られた封筒内に冊子を納めるために、冊子自体が折り畳んで封入されている。このため、ＤＭを受け取った消費者は、冊子にあまり興味を示さず、また冊子を読んだとしても、１回だけ読んで捨ててしまうことが多いという問題もある。
【０００７】
上記のような点に鑑み、本発明は、送付する冊子を包む外側用紙に販促情報を付加してアイキャッチ効果を高め、封入時における内部での冊子の移動を防ぐと共に、冊子に対する興味を向上させることが可能な冊子封入物を提供することを課題とする。
【０００８】
【課題を解決するための手段】
上記課題を解決するため、本発明による冊子封入物は、複数のページからなる冊子を外側用紙に封入して形成される冊子封入物であり、前記冊子の表紙もしくは裏表紙が外側用紙の内面に仮留めされてなり、前記外側用紙は、二つ折りされて前記冊子を包むと共に、当該外側用紙の重なる三辺はその端部が接着されてなり、さらに、接着された端部より中央側にミシン目が設けられた構成とすることを特徴とする。
本発明の冊子封入物によれば、複数のページからなる冊子を、外周にミシン目を有する１枚の外側用紙の内部に仮接着して封入して形成されるので、封入時における内部での冊子の移動を防ぐことが可能となる。
【０００９】
【発明の実施の形態】
以下、本発明の好適な実施形態について図面を参照して詳細に説明する。
図１は、本発明に係る冊子封入物の一実施形態を示す外観平面図である。このうち、図１（ａ）は表面、図１（ｂ）は裏面から見た状態を示している。外観として見えるのは、外側用紙１０のみであり、外側用紙１０により閉じられた内部に冊子が封入されている。外側用紙１０は１枚の用紙であるが、折り線１２により表側紙片１０ａと裏側紙片１０ｂに区分されており、この折り線１２により折り畳むことにより、表側紙片１０ａと裏側紙片１０ｂで冊子を包んでいる。図１（ａ）に示すように表側紙片１０ａの表面には、宛名欄１３が設けられており、送付先の住所、氏名等が記載されている。この宛名欄１３は、表側紙片１０ａに直接印刷することにより形成されていても良いし、別途作成されたラベルを貼り込むことにより形成されていても良い。また、図１に示すように、外側用紙１０の折り線１２以外の三辺の近傍にはミシン目１１ａ、１１ｂ、１１ｃが設けられており、このミシン目で端部１４ａ、１４ｂ、１４ｃを切り取って開封することにより、冊子を取り出すことができるようになっている。
【００１０】
ここで、まず、図１に示した冊子封入物を構成する外側用紙と冊子について説明しておく。図２は、本発明で用いる外側用紙１０の平面図である。このうち、図２（ａ）は折り畳んだときに内面、図２（ｂ）は折り畳んだときに外面となる側から見た状態を示している。図２において、１５ａ、１５ｂ、１５ｃは接着糊塗布部、１６ａ、１６ｂは仮接着糊塗布部であり、１０〜１４の各符号は図１で示したものと同一である。接着糊塗布部１５は、接着糊を塗布するために裏側紙片１０ｂの内面に設けられた部分であり、接着糊塗布部１５ａ〜１５ｃはそれぞれ、ミシン目１１ａ〜１１ｃより外周側の端部１４ａ〜１４ｃ上に位置する。接着糊塗布部１５ａおよび１５ｂの右端は、折り線１２から距離Ｄを置いたところに設定されており、折り線１２まで接着糊が塗布されないようにしている。距離Ｄとしては、適宜設定することができるが、例えば１ｃｍ程度とすることができる。また、折り線１２は、用紙のほぼ中央に設けられており、折り畳んだときに図１に示した状態となるようになっている。仮接着糊塗布部１６は、仮接着糊を塗布するために裏側紙片１０ｂの内面に設けられた部分であり、ミシン目１１ａ〜１１ｃより中央側に位置する。本実施形態では、好ましい例として仮接着糊塗布部を１６ａ、１６ｂの２箇所としているが、この数は１箇所であっても良いし、３箇所以上であっても良い。また、図２（ａ）に示した外側用紙１０の内面、図２（ｂ）に示した外側用紙１０の外面には、販促情報等の様々な情報の印刷がなされている。
【００１１】
図２に示した状態の外側用紙１０を得るためには、まず、用紙の内面・外面の両面に印刷を行い、その後、四方にミシン目加工を施し、ミシン目１１ａ〜１１ｃを形成する。続いて、ミシン目１１ａ〜１１ｃより外周側の接着糊塗布部１５ａ〜１５ｃに接着糊を塗布し、ミシン目１１ａ〜１１ｃより中央側の仮接着糊塗布部１６ａ、１６ｂに仮接着糊を塗布する。なお、外側用紙１０としては、封入する冊子が輸送中に折り曲がらない程度の剛性を有し、加工適正を満足する、１００〜１６０グラム／ｍ２の用紙を用いる。外側用紙１０は、ＰＰ（ポリプロピレン）加工したものであっても良い。また、接着糊塗布部１５ａ〜１５ｃに塗布する接着糊としては、容易に剥離しないエマルジョン系の強接着性のものを用い、仮接着糊塗布部１６ａ、１６ｂに塗布する仮接着糊としては、消費者が容易に剥離可能なゴム系の弱接着性のものを用いる。接着糊、仮接着糊ともに、従来周知のものを適用することができる。
【００１２】
続いて、冊子について説明する。冊子２０は複数のページからなる従来周知のものである。本実施形態では、図示の簡略化のため、図３に示すように、４枚構成としている。図３において、２１は冊子の表表紙、２２は冊子の裏表紙である。
【００１３】
図２に示した外側用紙１０と、図３に示した冊子２０は、冊子封入物の製造工程において、図４（ａ）に示すように、冊子２０の表表紙２１を上に向けて貼り合わされることになる。図４（ａ）は、冊子２０側から見た状態であるため、外側用紙１０と冊子２０を貼り合わせた部分が隠れているが、外側用紙１０と冊子２０は、図２に示した仮接着糊塗布部１６ａ、１６ｂに塗布された仮接着糊により、冊子２０の裏表紙２２と仮接着される。なお、仮接着糊は、上述のように、外側用紙１０側に塗布しておいた方が、製造工程上も簡略化できて好ましいが、冊子２０側の裏表紙２２に塗布しておき、外側用紙の裏側紙片１０ｂの内面と仮接着するようにしても良い。また、図４（ａ）におけるＡ−Ａ線に沿う断面図を図４（ｂ）に示しておく。
【００１４】
続いて、図４（ａ）に示す状態から折り線１２を谷折りして外側用紙１０を二つに折り、外側用紙１０の左端１７と右端１７が一致するように折り畳む。これにより、接着糊塗布部１５ａ〜１５ｃ上の接着糊が外側用紙１０の表側紙片１０ａの内面の端部と接着し、図１に示したような冊子封入物が完成することになる。なお、二つ折りにして冊子封入物をつくる過程で内部の空気を追い出せるように接着糊塗布部１５ａ、１５ｂは折り線１２まで設けていない。また、接着糊塗布部１５ａ、１５ｂを折り線１２まで設けないことにより、折り線１２における折加工を行なう際に、折加工機のブレードに接着糊が付着しないという効果も生ずる。
【００１５】
以上のようにして、図１に示した状態の冊子封入物が完成したら、冊子封入物は、郵送、宅配便等の手段により、宛名に記載された消費者に届けられる。本発明による冊子封入物では、冊子２０が外側用紙１０の裏側紙片１０ｂの内面に仮接着糊により固定されているため、送付時の振動により冊子２０が内部で動くことがない。そのため、内部で冊子が動いてミシン目部分を破損してしまうことがない。
【００１６】
冊子封入物が届いたら、消費者側では、３本のミシン目１１ａ〜１１ｃで端部１４ａ〜１４ｃを切り取る。この際にも、冊子２０は固定されているため、従来のＤＭ等のように、冊子２０が、ミシン目１１と接着糊塗布部１５のわずかな隙間に入り込んで、ミシン目１１が切りづらくなるようなことがない。そのため、容易にミシン目１１を切ることができる。ミシン目１１により三方の端部１４を切り取った結果、冊子封入物は図５（ａ）に示すような状態となる。この状態で、二つ折りされている外側用紙１０を開き、図５（ｂ）に示すような状態とする。さらに、仮接着糊により仮留めされている冊子２０を外側用紙１０から分離する。
【００１７】
冊子２０は、折り畳まれていない状態で封入されていたので、そのまま、図３に示したような状態の冊子として保存することができる。そのため、消費者は、従来の折り畳まれた冊子に比べて、保存しておこうという気持ちがより高まることになる。また、冊子を分離した後の外側用紙１０においても、見開き全面が販促情報の印刷物としてより多くの情報を得ることができる。
【００１８】
以上、本発明の好適な実施形態について説明したが、本実施形態は、上記実施形態に限定されず、種々の変形が可能である。例えば、上記実施形態では、冊子封入物として、外側用紙の内側に冊子だけを封入したが、冊子の他、付属物を封入しても良い。付属物としては、例えば、ＣＤ−ＲＯＭ、ＤＶＤ、ＦＤ等の記録媒体や、化粧品、医薬品等の商品サンプルや、返信用ハガキ等が挙げられる。付属物は外側用紙の内面に仮接着しても良いし、仮接着せずに、そのままいれておくだけでも良い。特に、返信用ハガキ等の紙状の薄いものを付属品とする場合には、冊子の裏表紙と外側用紙の間に挟むことにより、付属品が裏表紙と外側用紙とが仮接着されることで発生する圧力で固定され、内部で動きづらくなり、搬送時に付属品がミシン目部分に当って、ミシン目を破損したりすることを防ぐことができる。
【００１９】
また、上述のように、外側用紙の内面１０ｂには印刷がなされている。この印刷内容は、どのようなものであっても良いが、冊子２０を固定することにより、冊子２０の貼り込み位置に合わせた内容とすることができる。例えば、冊子２０の表表紙２１と連続した絵柄を外側用紙の内面１０ｂに印刷することが可能となる。
【００２０】
上記実施形態では、複数のページからなる冊子を外側用紙に封入するようにしたが、大きな紙片を折り畳んだものを外側用紙の内面に仮接着して封入するようにしても良い。
【００２１】
【発明の効果】
以上、説明したように本発明によれば、冊子封入物を、複数のページからなる冊子を外側用紙に封入して形成し、冊子の表紙もしくは裏表紙が外側用紙の内面に仮留めされてなり、外側用紙は二つ折りされて前記冊子を包むと共に、外側用紙の重なる三辺はその端部が接着されてなり、さらに、接着された端部より中央側にミシン目が設けられた構成としたので、封入時における内部での冊子の移動を防ぐことが可能となるという効果を奏する。結果として、カタログ等の冊子を折り畳まずに封入することが容易となり、消費者が冊子を保存する意欲が高まることになる。
【図面の簡単な説明】
【図１】本発明に係る冊子封入物の一実施形態を示す外観平面図である。
【図２】本発明で用いる外側用紙の平面図である。
【図３】封入される冊子を示す図である。
【図４】外側用紙と冊子を貼り合わせた状態を示す図である。
【図５】消費者側で開封された状態を示す図である。
【符号の説明】
１０・・・外側用紙
１０ａ・・・表側紙片
１０ｂ・・・裏側紙片
１１ａ〜１１ｃ・・・ミシン目
１２・・・折り線
１３・・・宛名欄
１４ａ〜１４ｃ・・・端部
１５ａ〜１５ｃ・・・接着糊塗布部
１６ａ、１６ｂ・・・仮接着糊塗布部
１７・・・外側用紙左端、右端
２０・・・冊子
２１・・・表表紙
２２・・・裏表紙
【図１】
2004338792.tif 000003
【図２】
2004338792.tif 000004
【図３】
2004338792.tif 000005
【図４】
2004338792.tif 000006
【図５】
2004338792.tif 000007